(57)【要約】【課題】特定のキャスターを使用することができ、且つ転倒の発生を抑制することができるキャスター付き搬送装置を提供する。【解決手段】キャスター付き搬送装置は、平坦な下面を有する本体部と、下面に取り付けられた状態で床面を移動可能とする複数のキャスターと、本体部、および、キャスターの間に配置され、本体部とキャスターとを取り付ける取付器具とを備え、本体部は、下面に形成された雌ネジ部を有し、キャスターは、当該キャスターから上方に突出して雌ネジ部と螺合する雄ネジ部、および、雄ネジ部の近傍に配置されて雄ネジ部の回転を規制する係止部を有し、取付器具は、キャスターの取り付け方向を決定する取付方向決定部を備え、取付方向決定部は、本体部の下面に取り付けられた状態で雌ネジ部と連通し、雄ネジ部が貫通する貫通孔と、雄ネジ部が雌ネジ部に所定量螺合した状態で係止部と係止して雄ネジ部の回転を規制する被係止部とを有する。【選択図】図６
2019077318.tif 000002
【特許請求の範囲】
【請求項１】
平坦な下面を有する本体部と、
前記下面に取り付けられた状態で床面を移動可能とする複数のキャスターと、
前記本体部、および、前記キャスターの間に配置され、前記本体部と前記キャスターとを取り付ける取付器具と
を備え、
前記本体部は、前記下面に形成された雌ネジ部を有し、
前記キャスターは、当該キャスターから上方に突出して前記雌ネジ部と螺合する雄ネジ部、および、前記雄ネジ部の近傍に配置されて前記雄ネジ部の回転を規制する係止部を有し、
前記取付器具は、前記キャスターの取り付け方向を決定する取付方向決定部を備え、
前記取付方向決定部は、前記本体部の下面に取り付けられた状態で前記雌ネジ部と連通し、前記雄ネジ部が貫通する貫通孔と、前記雄ネジ部が前記雌ネジ部に所定量螺合した状態で前記係止部と係止して前記雄ネジ部の回転を規制する被係止部とを有する
ことを特徴とするキャスター付き搬送装置。
【請求項２】
前記係止部は、前記キャスターから上方に突出する突出部であり、
前記被係止部は、前記取付方向決定部を上下方向に貫通し、前記突出部が係入する係入孔である
ことを特徴とする請求項１に記載のキャスター付き搬送装置。
【請求項３】
前記本体部、および、前記取付方向決定部の間に配置されるカバー部を更に備え、
前記カバー部は、前記雄ネジ部によって挿通される挿通孔を有する中空円盤状の円盤部、および、当該円盤部の端縁から前記床面に向かって下方に延び、前記取付方向決定部を覆う被覆部、を有している
ことを特徴とする請求項１又は２に記載のキャスター付き搬送装置。
【請求項４】
前記カバー部は、前記キャスターを前記本体部に取り付けた状態で、少なくとも一部分が前記本体部の端縁、および、前記キャスターの端縁から突出している
ことを特徴とする請求項３に記載のキャスター付き搬送装置。
【請求項５】
前記本体部は、当該本体部の下面に設けられた柱状部材を有し、
前記柱状部材は、前記床面と対向する下面に前記雌ネジ部を有する
ことを特徴とする請求項１から４までのいずれか一項に記載のキャスター付き搬送装置。
【発明の詳細な説明】
【技術分野】
【０００１】
本発明は、被搬送物として例えば書籍等を搬送する際に用いられるキャスター付き搬送装置に関する。
【背景技術】
【０００２】
従来、書籍等を収納するワゴン本体には、このワゴン本体の底板の下面に、床面に対して当該ワゴン本体を容易に移動可能とするためのキャスターが取り付けられている。このようなワゴン本体として、当該ワゴン本体の底板の下面に対して、キャスターから上方向に延びる軸部を固定することにより、当該ワゴン本体に当該キャスターを取り付けたものがある（例えば特許文献１）。
【先行技術文献】
【特許文献】
【０００３】
【特許文献１】特許第５０５５０７３号公報
【発明の概要】
【発明が解決しようとする課題】
【０００４】
しかしながら、特許文献１に記載されたワゴン本体にあっては、当該ワゴン本体の底板の下面に対してキャスターを直接取り付けていた。したがって、ワゴン本体の底板の角隅にキャスターを取り付けるための十分なスペースが無い場合や、キャスターを取り付けるための十分な強度を確保出来ない場合には、キャスターをワゴン本体におけるより内方位置に配置せざるを得なかった。このため、ワゴン本体の自立安定性が低下することになり、ワゴン本体に転倒の可能性が生じる要因となってしまっていた。
【０００５】
本発明は、以上の点に鑑みてなされたものであって、本体部の底板の角隅にキャスターを取り付けるための十分なスペースが存在しない場合や、キャスターを取り付けるための十分な強度を確保出来ない場合であっても、ある特定のキャスターについても取り付けることが可能であり、且つ転倒の発生を抑制し得るキャスター付き搬送装置を提供することを目的とする。
【課題を解決するための手段】
【０００６】
上記目的を達成するために、本発明に係るキャスター付き搬送装置は、平坦な下面を有する本体部と、前記下面に取り付けられた状態で床面を移動可能とする複数のキャスターと、前記本体部、および、前記キャスターの間に配置され、前記本体部と前記キャスターとを取り付ける取付器具とを備え、前記本体部は、前記下面に形成された雌ネジ部を有し、前記キャスターは、当該キャスターから上方に突出して前記雌ネジ部と螺合する雄ネジ部、および、前記雄ネジ部の近傍に配置されて前記雄ネジ部の回転を規制する係止部を有し、前記取付器具は、前記キャスターの取り付け方向を決定する取付方向決定部を備え、前記取付方向決定部は、前記本体部の下面に取り付けられた状態で前記雌ネジ部と連通し、前記雄ネジ部が貫通する貫通孔と、前記雄ネジ部が前記雌ネジ部に所定量螺合した状態で前記係止部と係止して前記雄ネジ部の回転を規制する被係止部とを有することを特徴とする。
【０００７】
本発明の一態様に係るキャスター付き搬送装置において、前記係止部は、前記キャスターから上方に突出する突出部であり、前記被係止部は、前記取付方向決定部を上下方向に貫通し、前記突出部が係入する係入孔である。
【０００８】
本発明の一態様に係るキャスター付き搬送装置において、前記本体部、および、前記取付方向決定部の間に配置されるカバー部を更に備え、前記カバー部は、前記雄ネジ部によって挿通される挿通孔を有する中空円盤状の円盤部、および、当該円盤部の端縁から前記床面に向かって下方に延び、前記取付方向決定部を覆う被覆部、を有している。
【０００９】
本発明の一態様に係るキャスター付き搬送装置において、前記カバー部は、前記キャスターを前記本体部に取り付けた状態で、少なくとも一部分が前記本体部の端縁、および、前記キャスターの端縁から突出している。
【００１０】
本発明の一態様に係るキャスター付き搬送装置において、前記本体部は、当該本体部の下面に設けられた柱状部材を有し、前記柱状部材は、前記床面と対向する下面に前記雌ネジ部を有する。
【発明の効果】
【００１１】
本発明に係るキャスター付き搬送装置によれば、本体部の底板の角隅にキャスターを取り付けるための十分なスペースが存在しない場合や、キャスターを取り付けるための十分な強度を確保出来ない場合であっても、ある特定のキャスターを使用することができ、且つ転倒の発生を抑制することができる。
【図面の簡単な説明】
【００１２】
【図１】本発明の実施の形態に係るキャスター付き搬送装置の外観構成を示す斜視図である。
【図２】本発明の実施の形態に係るキャスター付き搬送装置のキャスターの外観構成を示す側面図である。
【図３】本発明の実施の形態に係るキャスター付き搬送装置の取付方向決定部を含む取付器具の外観構成を示す斜視図である。
【図４】本発明の実施の形態に係るキャスター付き搬送装置において、取付器具が本体部の下面に取り付けられた状態を示す部分拡大斜視図である。
【図５】本発明の実施の形態に係るキャスター付き搬送装置のキャスターの取り付け状態を示す断面図であって、（Ａ）は図１のＡ−Ａ断面における断面図であり、（Ｂ）は図５（Ａ）のＢ−Ｂ断面における断面図である。
【図６】本発明の実施の形態に係るキャスター付き搬送装置のキャスターを取り外した状態において示す部分拡大斜視図である。
【図７】本発明の実施の形態に係るキャスター付き搬送装置におけるキャスターの取付方向を示す下面図であって、（Ａ）は取付方向決定部を使用した場合のキャスターの取付方向を示し、（Ｂ）は取付方向決定部を使用しなかった場合のキャスターの取付方向の一例を示す。
【図８】本発明の他の実施の形態に係るキャスター付き搬送装置の外観構成を示す斜視図である。
【発明を実施するための形態】
【００１３】
以下、本発明の実施形態について図面を参照しながら詳細に説明する。
【００１４】
以下、便宜上、図１に示す座標軸に基づいて、矢印で示されたＸ軸正方向を前方向、矢印で示されたＹ軸正方向を左方向、矢印で示されたＺ軸正方向を上方向と規定したうえで説明する、したがって、Ｘ軸負方向は後方向、Ｙ軸負方向は右方向、Ｚ軸負方向は下方向とする。
【００１５】
＜キャスター付き搬送装置の外観構成＞
図１及び図６に示すように、本発明に係るキャスター付き搬送装置としてのブックカート１は、本体部２と、当該本体部２に取り付けられて床面を移動可能とする複数のキャスター３と、当該キャスター３の各々に対応して設けられたカバー部４と、本体部２にキャスター３を取り付けるための取付器具５とを備えている。
【００１６】
＜本体部＞
本体部２は、前方板部２１ｆと、当該前方板部２１ｆから所定の距離だけ離れて平行に配置された後方板部２１ｂと、当該前方板部２１ｆと当該後方板部２１ｂとをＸ軸方向に沿って連結する２つの棒状の補強体２２と、前方板部２１ｆと後方板部２１ｂとの間に配設された収容部２３とを備えている。
【００１７】
前方板部２１ｆは、Ｘ軸正方向から見て矩形又は略矩形であり、板状部材と一体に固定された矩形のフレーム２４を有している。また、フレーム２４には、前方板部２１ｆよりも上方に僅かに離れて一体に設けられた棒状の把持部２５が一体に設けられている。後方板部２１ｂについても前方板部２１ｆと同様であり、板状部材と一体に固定された矩形のフレーム２４を有しており、当該フレーム２４には把持部２５が一体に設けられている。補強体２２は、前方板部２１ｆのフレーム２４におけるＹ軸方向の両側端部と、後方板部２１ｂのフレーム２４におけるＹ軸方向の両側端部との間を互いに平行に配置されて連結されている。
【００１８】
収容部２３は、書籍等の被搬送物を収容するものである。この収容部２３は、Ｘ軸正方向とは直交する断面に沿ってＬ字形又は略Ｌ字形に形成されており、その平面が僅かに上方向（Ｚ軸正方向）に傾けられた矩形又は略矩形の板状部材である載置部２３ａと、当該載置部２３ａの基端部から上方向（Ｚ軸正方向）に延びる矩形又は略矩形の板状部材である背板部２３ｂとを有する。
【００１９】
すなわちブックカート１は、背板部２３ｂを互いに接触させるようにＺ軸に対して線対称に配置した２つの収容部２３を上下方向（Ｚ軸方向）に３組有し、全体で６つの収容部２３を有する。なお、収容部２３の載置部２３ａは、前方向（Ｘ軸正方向）及び左方向（Ｙ軸正方向）の平面内に延びる矩形又は略矩形の板状部材であってもよい。
【００２０】
＜キャスター＞
キャスター３は、フレーム２４の下面２４ａにおけるにＹ軸方向の両側端部にそれぞれ取り付けられている。すなわちブックカート１の本体部２では、フレーム２４の下面２４ａの四隅に全体で４つのキャスター３を有している。なお、本体部２に対するキャスター３の取付方法については後述する。
【００２１】
続いて、キャスター３の構成について説明する。この場合、４つのキャスター３は全て同一の構成を有している。以下、前方向（Ｘ軸正方向）且つ右方向（Ｙ軸負方向）に位置するキャスター３に着目して説明する。
【００２２】
図２及び図６に示すように、キャスター３は、車輪３２を相対回転可能に支持する車輪支持部３１と、当該車輪支持部３１の車輪軸３６を中心として回転可能に取り付けられる車輪３２と、当該車輪支持部３１の上方向（Ｚ軸正方向）に設けられ、フレーム２４と車輪支持部３１とを一体に取り付けるための取付部３３とを備えている。
【００２３】
車輪支持部３１は、取付部３３を回転可能に支持する支持本体部３４と、当該支持本体部３４の後方向（Ｘ軸負方向）の一端に回動可能に設けられた嘴状の操作部３５と、当該支持本体部３４の下方向（Ｚ軸負方向）の一端に設けられ、車輪３２を回転可能に軸支する車輪軸３６とを有する。車輪支持部３１の支持本体部３４および操作部３５は、車輪３２を上方向（Ｚ軸正方向）から覆うように形成されている。
【００２４】
支持本体部３４は、取付部３３を載置した状態で支持する平坦な載置上面３４ａを有する。この載置上面３４ａは、車輪軸３６が取り付けられた一端よりも前方向（Ｘ軸正方向）へ変位した位置に形成されている。具体的には、支持本体部３４は、取付部３３の後述する雄ネジ部３７の軸線Ｌ１が、車輪軸３６から床面ｓへ向かって垂直に下ろした仮想線Ｌ２に対して、所定の変位量（トレール量）ｔを確保するような位置関係を持って形成されている。これにより、ブックカート１を移動させる際の直進安定性を確保している。
【００２５】
また、支持本体部３４は、当該支持本体部３４と取付部３３との間において相対回転可能な状態または相対回転不能な状態に切り替えるための回転制御機構３８を内部に有している。回転制御機構３８は、支持本体部３４の後方向（Ｘ軸負方向）の一端に当該支持本体部３４の下面から突出した規制部３８ａを有している。
【００２６】
操作部３５は、上述した回転制御機構３８による車輪支持部３１の支持本体部３４と取付部３３との間における相対回転可能な状態または相対回転不能な状態を切り替えるための脚踏み式の部材である。この操作部３５は、支持本体部３４に対して、軸部３５ｇを介して矢印ｆ方向およびその逆方向へ回動自在に支持されている。操作部３５は、軸部３５ｇの下方に当該操作部３５の下面から突出した突部３５ａを有している。
【００２７】
すなわち、図２に示すように、操作部３５は、矢印ｆ方向に押下された場合、突部３５ａが当該回転制御機構３８の規制部３８ａを押し付ける。これにより、回転制御機構３８を介して、支持本体部３４と取付部３３との間の相対回転が規制されるので、支持本体部３４とともに車輪３２の向きが固定される。これにより、ブックカート１を移動させる際の直進安定性を確保することが可能となる。
【００２８】
取付部３３は、上下方向（Ｚ軸方向）へ僅かに延びる円柱状又は略円柱状に形成されており、当該取付部３３の平坦な上面３３ａの中心において当該上面３３ａから上方向（Ｚ軸正方向）に突出する雄ネジ部３７と、当該雄ネジ部３７の近傍に配置されて上面３３ａから上方向（Ｚ軸正方向）に突出する突出部３９とを有する。この場合、突出部３９の突出量は、雄ネジ部３７の突出量よりも小さい。
【００２９】
すなわち、雄ネジ部３７は、突出部３９よりも更に上方向（Ｚ軸正方向）に突出しており、本体部２に取り付けられた後述する取付器具５の雌ネジ部６２と螺合する。雄ネジ部３７は、取付部３３の上面３３ａからの突出量ｄを維持した状態で、取付部３３と一体に固定されている。
【００３０】
突出部３９は、上面３３ａの中心から偏心した位置に配置されている。突出部３９は、角柱状又は略角柱状に形成されている。ただし、これに限るものではなく、円柱状、楕円筒状、その他の種々の形状であってもよい。
【００３１】
＜取付器具＞
図３及び図６に示すように、取付器具５は、フレーム２４の下面２４ａに対してキャスター３を固定するための円筒状又は略円筒状部材からなる中空円筒部６と、フレーム２４に対するキャスター３の取り付け方向を決定する板状部材からなる取付方向決定部７とを有する。取付器具５は、取付方向決定部７の後述する基部７１の貫通孔７１ａ内に中空円筒部６の下方向（Ｚ軸負方向）の端部が差し込まれた状態で、当該中空円筒部６と基部７１とを例えば溶接することにより一体に形成されている。
【００３２】
中空円筒部６は、当該中空円筒部６の中空孔６１の内周面に形成された雌ネジ部６２と、当該中空円筒部６の下方向（Ｚ軸負方向）の端部が一部切り欠かれることにより形成された切欠部６３とを有する。
【００３３】
取付方向決定部７は、円環状又は略円環状の部分を有する基部７１と、当該基部７１の外周の一部からＸ軸負方向へ延びる矩形状又は略矩形状の拡張基部７２とを有する。基部７１は、中空円筒部６の雌ネジ部６２が形成された中空孔６１と連通し、キャスター３の雄ネジ部３７が貫通する貫通孔７１ａを有する。拡張基部７２は、キャスター３の雄ネジ部３７が中空円筒部６の雌ネジ部６２に所定量螺合した状態でキャスター３の突出部３９が係入して当該雄ネジ部３７の回転を規制する被係止部としての係入孔７２ａを有する。係入孔７２ａは、キャスター３の突出部３９と同様の形状および当該突出部３９よりも僅かに大きく形成され（図５（Ｂ））、取付方向決定部７の拡張基部７２を上下方向（Ｚ軸方向）へ貫通している。基部７１の貫通孔７１ａと拡張基部７２の係入孔７２ａとは、前後方向（Ｘ軸方向）において互いに連通している。
【００３４】
なお、拡張基部７２は、当該拡張基部７２を貫通する係入孔７２ａを有していなくてもよく、その代わりとして、拡張基部７２の下面に形成されてキャスター３の突出部３９が係入される被係止部としての有底の係入凹部（図示せず）を有していてもよい。
【００３５】
中空円筒部６の切欠部６３は、中空円筒部６が基部７１に溶接された状態で、取付方向決定部７の拡張基部７２の係入孔７２ａおよび基部７１の貫通孔７１ａと前後方向（Ｘ軸方向）で連通している。これにより、取付部３３の突出部３９が拡張基部７２の係入孔７２ａに係入し易い状態を確保している。
【００３６】
図４に示すように、取付器具５は、フレーム２４の下面２４ａから上方向（Ｚ軸正方向）に形成された有底保持孔２４ｂ内に中空円筒部６を溶接等で固定することにより、本体部２に固定される。具体的には、取付器具５は、Ｘ軸正方向に沿って、後方向（Ｘ軸負方向）に係入孔７２ａが位置し、前方向（Ｘ軸正方向）に貫通孔７１ａが位置するように、基部７１および拡張基部７２の方向を揃えた状態で本体部２に固定される。
【００３７】
＜カバー部＞
図５（Ａ）及び図６に示すように、カバー部４は、フレーム２４の下面２４ａとキャスター３との間に配置され、取付器具５の取付方向決定部７を外部から覆い隠す機能部である。
【００３８】
カバー部４は、キャスター３の雄ネジ部３７及び取付器具５の中空円筒部６が挿通する挿通孔４１ａを有する中空円盤状の円盤部４１と、当該円盤部４１の端縁から床面に向かって下方向（Ｚ軸負方向）に延び、取付方向決定部７を全体的に覆う被覆部４２とを有する。なお、カバー部４は、ゴムや樹脂等の弾性部材からなる。
【００３９】
＜ブックカートの組立手順＞
取付器具５は、中空円筒部６をフレーム２４に設けられた有底保持孔２４ｂ内に挿入した状態で溶接等により当該フレーム２４と一体に固定される（図４）。この場合、取付器具５が本体部２のフレーム２４に取り付けられた状態において、取付方向決定部７は、当該フレーム２４の下面２４ａから当該取付方向決定部７の上面７１ｂまで所定の間隔ｇ（図５（Ａ））を有するように、フレーム２４の下面２４ａから下方向（Ｚ軸負方向）へ離間して配置される。
【００４０】
次に、カバー部４の挿通孔４１ａに取付方向決定部７の拡張基部７２を挿入する。その後、カバー部４の挿通孔４１ａの径よりも大きな径を有する取付方向決定部７の基部７１を当該カバー部４の弾性を利用して挿通孔４１ａの径を拡げながら当該挿通孔４１ａに挿入する。このようにして、円盤部４１は、フレーム２４と取付方向決定部７との間の間隔ｇ内に配置され、フレーム２４の下面２４ａと取付方向決定部７の上面７１ｂとの間に円盤部４１だけが挟み付けられた状態で固定される。
【００４１】
最後に、キャスター３の雄ネジ部３７と中空円筒部６の雌ネジ部６２とを螺合させる。このとき、キャスター３の突出部３９が取付方向決定部７の係入孔７２ａに係入されるまで螺合する（図５（Ａ）及び図５（Ｂ））。このようにして、ブックカート１の本体部２に対するキャスター３の組立が完了する。
【００４２】
＜作用及び効果＞
図４に示したように、取付器具５がフレーム２４の下面２４ａに取り付けられた状態では、中空円筒部６の雌ネジ部６２がフレーム２４の下面２４ａに形成された雌ネジとしての役割を担う。このため、キャスター３の雄ネジ部３７を中空円筒部６の雌ネジ部６２に所定量螺合させると、キャスター３の係止部としての突出部３９が取付方向決定部７の係入孔７２ａに係入され、雌ネジ部６２に対する雄ネジ部３７のそれ以上の回転が規制される。
【００４３】
この結果、図５（Ａ）及び図７（Ａ）に示すように、キャスター３は、Ｘ軸正方向に沿って、後方向（Ｘ軸負方向）に突出部３９が位置し、前方向（Ｘ軸正方向）に雄ネジ部３７が位置した状態で本体部２に固定される。この状態において、キャスター３の操作部３５を押下すれば、回転制御機構３８を介して取付部３３と車輪支持部３１とを相対回転不能状態に規制することができる。
【００４４】
このようにして、ブックカート１では、取付部３３と車輪支持部３１とを相対回転不能状態に規制することにより、車輪３２の向きを固定することができるので、直進安定性を確保することが可能となる。
【００４５】
また、本体部２のフレーム２４の下面２４ａの角隅部分にキャスター３を取り付けるための十分なスペースが存在しない場合であっても、取付器具５の取付方向決定部７を用いれば、キャスター３をフレーム２４の下面２４ａの角隅に取り付けることが可能となる。ブックカート１は、キャスター３をフレーム２４の下面２４ａの角隅に取り付けることができるので、移動する際の転倒の発生を抑制し、安定した状態で走行させることができる。
【００４６】
仮に、取付器具５を使用しない場合、本体部２に対するキャスター３の取付方向は、キャスター３の雄ネジ部３７のフレーム２４の下面２４ａに設けられた雌ネジ（図示せず）に対する螺合量に依存する。例えば図７（Ｂ）に示すように、キャスター３は、雄ネジ部３７の螺合量に応じて、前後方向（Ｘ軸方向）に対してずれた向きで本体部２に固定される状態が生じ得る。このような状態でキャスター３の操作部３５を押下した場合、前後方向（Ｘ軸方向）に対して向きがずれた状態で車輪３２が固定されてしまうので、ブックカート１がそもそも移動不能となってしまう。
【００４７】
また、図５（Ａ）に示したように、カバー部４は、取付器具５の取付方向決定部７を外部から覆い隠す機能部として働くため、フレーム２４の下面２４ａに対するキャスター３の取り付けに使用した取付方向決定部７が本体部２の端縁から飛び出している場合であっても、ブックカート１全体の美感をより一層良好なものにすることができる。
【００４８】
さらに、キャスター３を本体部２に取り付けた状態では、カバー部４は、少なくとも一部分が本体部２の端縁とキャスター３の端縁とから突出した状態となる（図５（Ａ））。このため、当該カバー部４は、ブックカート１が他の物品と衝突した際のバンパーとしての役割を担い、ブックカート１及び他の物品の破損を抑制することができるとともに、ブックカート１を使用する際の安全性を向上させることができる。
【００４９】
＜他の実施の形態＞
図８を用いて、本発明の他の実施の形態におけるキャスター付き搬送装置としてのブックカート１０について説明する。なお、図８において、図１と対応する部分には同一符号を付している。以下では、主として実施の形態との相違点を説明する。
【００５０】
上述した実施の形態においては、本体部２のフレーム２４の有底保持孔２４ｂに取付器具５の中空円筒部６を取り付けた。つまり、本体部２のフレーム２４自体に雌ネジ部６２を形成し、この雌ネジ部６２にキャスター３の雄ネジ部３７を螺合し、本体部２にキャスター３を取り付けた。
【００５１】
しかしながら、他の実施の形態においては、図８に示すように、本体部２は、当該本体部２のフレーム２４の下面２４ａにおけるＹ軸方向の両側端部から下方向（Ｚ軸負方向）に延びる柱状部材としての４つの脚部２６を有する。キャスター３は、当該脚部２６の下面（図示せず）にそれぞれ取り付けられている。
【００５２】
具体的には、当該脚部２６の下面から上方向（Ｚ軸正方向）に形成された有底保持孔（図示せず）を形成し、当該有底保持孔内に取付器具５の中空円筒部６を溶接等で固定することにより、取付器具５を本体部２の脚部２６に固定した。このようにして、本体部２の脚部２６自体に雌ネジ部６２を形成し、この雌ネジ部６２にキャスター３の雄ネジ部３７を螺合し、本体部２にキャスター３を取り付けた。
【００５３】
このように、本体部２にキャスター３を取り付けるためのスペースが一段と少ない場合であっても、上述のようなキャスター３を、脚部２６の下面に取り付けることが可能であり、且つブックカート１を移動させる際の転倒の発生を抑制し直進安定性を確保することが可能となる。
【００５４】
以上、本発明の実施形態について説明したが、本発明は上記本発明の実施形態に限定されるものではなく、本発明の概念及び特許請求の範囲に含まれるあらゆる態様を含む。また、上述した課題及び効果の少なくとも一部を奏するように、各構成を適宜選択的に組み合わせても良い。例えば、上記実施の形態における、各構成要素の形状、材料、配置等は、本発明の具体的使用態様によって適宜変更され得る。
【００５５】
＜変形例＞
本実施の形態に係るキャスター３は、支持本体部３４と取付部３３との間において相対回転可能な状態または相対回転不能な状態に切り替えることが可能な形式のものとしたが、本発明に係るキャスター３の適用対象はこれに限られるものではなく、例えば支持本体部３４と取付部３３との間の相対回転を切り替えることを要しない固定式のものを対象としてもよい。
【００５６】
また、本実施の形態に係る取付器具５は、当該取付器具５の拡張基部７２に係入孔７２ａが設けられたものとしたが、本発明に係る取付器具５の適用対象はこれらに限られるものではなく、例えば当該取付器具５の拡張基部７２に下方向（Ｚ軸負方向）に突出する突出部を設けてもよい。この場合、キャスター３の取付部３３の上面３３ａに、当該突出部に対応する凹部が設けられていることが好ましく、本発明の奏する効果を利用し得るすべての構成に対して、本発明は適用可能である。
【符号の説明】
【００５７】
１，１０  ブックカート
２  本体部
２１ｂ  後方板部
２１ｆ  前方板部
２２  補強体
２３  収容部
２３ａ  載置部
２３ｂ  背板部
２４  フレーム
２４ａ  下面
２４ｂ  有底保持孔
２５  把持部
２６  脚部
３  キャスター
３１  車輪支持部
３２  車輪
３３  取付部
３３ａ  上面
３４  支持本体部
３４ａ  載置上面
３５  操作部
３５ａ  突部
３５ｇ  軸部
３６  車輪軸
３７  雄ネジ部
３８  回転制御機構
３８ａ  規制部
３９  突出部
４  カバー部
４１  円盤部
４１ａ  挿通孔
４２  被覆部
５  取付器具
６  中空円筒部
６１  中空孔
６２  雌ネジ部
６３  切欠部
７  取付方向決定部
７１  基部
７１ａ  貫通孔
７１ｂ  上面
７２  拡張基部
７２ａ  係入孔
ｄ  突出量
ｇ  間隔
Ｌ１  軸線
Ｌ２  仮想線
ｓ  床面
ｔ  変位量
【図１】
2019077318.tif 000003
【図２】
2019077318.tif 000004
【図３】
2019077318.tif 000005
【図４】
2019077318.tif 000006
【図５】
2019077318.tif 000007
【図６】
2019077318.tif 000008
【図７】
2019077318.tif 000009
【図８】
2019077318.tif 000010